(57)【要約】【課題】少ない電力で効率的に無線タグと交信可能な無線タグ物品載置装置を提供すること。【解決手段】  無線タグを付された物品が置かれることのある第１の載置台及び第２の載置台と、前記第１の載置台の上に前記第２の載置台を重ねた状態及び上下方向に所定距離を置いて離間した状態に前記第１の載置台及び前記第２の載置台を選択的に保持する保持機構と、前記第１の載置台及び前記第２の載置台各々の上面に設けられ前記物品の置かれたことを検知する第１の物品検知器及び第２の物品検知器と、前記第２の物品検知器により物品が検知されたときには指向性を上方に向けられ、前記第１の物品検知器により物品が検知されたときには指向性を下方に向けられ、前記無線タグと交信するアンテナと、を有して成る。【選択図】図１
2006260037.tif 000002
【特許請求の範囲】
【請求項１】
無線タグを付された物品が置かれることのある第１の載置台及び第２の載置台と、
前記第１の載置台の上に前記第２の載置台を重ねた状態及び上下方向に所定距離を置いて離間した状態に前記第１の載置台及び前記第２の載置台を選択的に保持する保持機構と、
前記第１の載置台及び前記第２の載置台各々の上面に設けられ前記物品の置かれたことを検知する第１の物品検知器及び第２の物品検知器と、
前記第２の物品検知器により物品が検知されたときには指向性を上方に向けられ、前記第１の物品検知器により物品が検知されたときには指向性を下方に向けられ、前記無線タグと交信するアンテナと、
を有して成ることを特徴とする無線タグ物品載置装置。
【請求項２】
無線タグを付された物品が置かれることのある第１の載置台及び第２の載置台と、
前記第１の載置台の上に前記第２の載置台を重ねた状態及び上下方向に所定距離を置いて離間した状態に前記第１の載置台及び前記第２の載置台を選択的に保持する保持機構と、
前記第１の載置台及び前記第２の載置台各々の上面に設けられ前記物品の置かれたことを検知する第１の物品検知器及び第２の物品検知器と、
前記無線タグと交信するアンテナと、
前記第２の物品検知器により物品が検知されたときには上方に、前記第１の物品検知器により物品が検知されたときには下方に、前記アンテナの指向性を向ける指向性切替手段と、
を有して成ることを特徴とする無線タグ物品載置装置。
【請求項３】
前記保持機構は、前記第１の載置台及び前記第２の載置台の側面に設けられ、各々２つの棒状部材とこれら棒状部材を端部で軸支する軸部材から成ることを特徴とする請求項１又は２記載の無線タグ物品載置装置。
【請求項４】
前記アンテナはパッチアンテナであることを特徴とする請求項１乃至３のいずれか１記載の無線タグ物品載置装置。
【請求項５】
前記アンテナは、前記第２の載置台の下面に設けられて成ることを特徴とする請求項１乃至４のいずれか１記載の無線タグ物品載置装置。
【発明の詳細な説明】
【技術分野】
【０００１】
本発明は、無線タグを付された物品を載置し、この無線タグと交信を行う、無線タグ物品載置装置に関する。
【背景技術】
【０００２】
無線タグを物品に付してこの無線タグと交信し、情報のやりとりをするシステムが多く開発されてきている。これら物品に付された無線タグと交信するアンテナを含む無線タグ読取書込装置は、できるだけ電力が少なくて交信できることが望ましい。
【０００３】
しかしアンテナの指向性と、物品に付された無線タグとの関係はいろいろな状態があり、常に良好に交信するためにはある程度の電力を出力せざるを得ない。
【発明の開示】
【発明が解決しようとする課題】
【０００４】
本発明は上記のような従来の問題点にかんがみてなされたもので、少ない電力で効率的に無線タグと交信可能な無線タグ物品載置装置を提供することを目的とする。
【課題を解決するための手段】
【０００５】
本発明の請求項１によれば、無線タグを付された物品が置かれることのある第１の載置台及び第２の載置台と、前記第１の載置台の上に前記第２の載置台を重ねた状態及び上下方向に所定距離を置いて離間した状態に前記第１の載置台及び前記第２の載置台を選択的に保持する保持機構と、前記第１の載置台及び前記第２の載置台各々の上面に設けられ前記物品の置かれたことを検知する第１の物品検知器及び第２の物品検知器と、前記第２の物品検知器により物品が検知されたときには指向性を上方に向けられ、前記第１の物品検知器により物品が検知されたときには指向性を下方に向けられ、前記無線タグと交信するアンテナと、を有して成ることを特徴とする無線タグ物品載置装置を提供する。
【０００６】
本発明の請求項２によれば、無線タグを付された物品が置かれることのある第１の載置台及び第２の載置台と、前記第１の載置台の上に前記第２の載置台を重ねた状態及び上下方向に所定距離を置いて離間した状態に前記第１の載置台及び前記第２の載置台を選択的に保持する保持機構と、前記第１の載置台及び前記第２の載置台各々の上面に設けられ前記物品の置かれたことを検知する第１の物品検知器及び第２の物品検知器と、前記無線タグと交信するアンテナと、前記第２の物品検知器により物品が検知されたときには上方に、前記第１の物品検知器により物品が検知されたときには下方に、前記アンテナの指向性を向ける指向性切替手段と、を有して成ることを特徴とする無線タグ物品載置装置を提供する。
【発明の効果】
【０００７】
本発明によれば、少ない電力で効率的に無線タグと交信可能な無線タグ物品載置装置が得られる効果がある。
【発明を実施するための最良の形態】
【０００８】
以下、本発明の実施形態について図面を用いて説明する。図１及び図２に本発明を読取書込み装置のアンテナとしてパッチアンテナを用いた場合の一実施形態の構成例を示す。
【０００９】
この無線タグ物品載置装置１０は、物品が載せられることがある第１の載置台１１及び第２の載置台１２と、第１の物品載置台１１の上面に設けられた第１の物品検知器１３と、第２の物品載置台１２の上面に設けられた第２の物品検知器１４と、第１，第２の載置台１１，１２の側面に設けられ第１の載置台１１の上に第２の載置台１２を重ねた状態とこれらの載置台を上下に離間した状態との２つの状態に選択的に保持することが可能な屈曲機構１５ａ，１５ｂと、第２の載置台の下面に設けられたパッチアンテナ１６とから成る。
【００１０】
屈曲機構１５ａは、棒状部材１７ａ，１８ａとこれらの部材を端部で接続するための軸部材１９ａとから成る。同様に屈曲機構１５ｂは、棒状部材１７ｂ，１８ｂとこれらの部材を端部で接続するための軸部材１９ｂとから成る。
【００１１】
図１は、屈曲機構１５ａ，１５ｂを屈曲させた状態、即ち棒状部材１７ａ，１８ａ，１７ｂ，１８ｂを軸部材１９ａ，１９ｂを中心に折り曲げ、第１の載置台１１の上に第２の載置台１２を重ねた状態を示す。また図２は、屈曲機構１５ａ，１５ｂを伸張させた状態、即ち、棒状部材１７ａ，１８ａ，１７ｂ，１８ｂを軸部材１９ａを中心に伸ばして、第１の載置台１１と第２の載置台１２を上下に離間した状態を示している。
【００１２】
図３に、本発明のこの実施形態の電気的な構成を示す。第１の物品検知部１３の出力及び第２の物品検知部１４の出力は制御部３１に入力され、この制御部３１の出力は指向性切替部３２に入力されている。この指向性切替部３２の出力はパッチアンテナ１６に入力される。
【００１３】
図１（ａ）に示すように、第２の載置台１２上に無線タグ（図示せず）が付された物品３５が載せられると、第２の物品検知部１４により物品が載置されたことを検知してその旨の信号を制御部３１に送る。制御部３１は指向性上方に向けるための指向性制御信号を指向性切替部３２に送る。指向性切替部３２はこの制御信号に応じて、上方に向けた指向性３７が得られるようにパッチアンテナ１６を駆動する。
【００１４】
一方、図２（ａ）に示すように、屈曲機構１５ａ，１５ｂを伸張させ第２の載置台１２を第１の載置台１１の上方に離間させた状態とし、第１の載置台１１の上に物品３６が置かれると、第１の物品検出部１３は物品３６が載置されたことを検出し、その旨の信号を図３に示す制御部３１に送る。この信号に応じて制御部３１は、指向性下方に向けるための指向性制御信号を指向性切替部３２に送る。指向性切替部３２はこの制御信号に応じて、下方に向けた指向性３８が得られるようにパッチアンテナ１６を駆動する。
【００１５】
例えば無線タグを上の方に付された用紙を多数ファイルした書類が物品３６として図２に示すように置かれる場合には、パッチアンテナ１６はこの物品の上方に位置し、その指向性を下方に向けることになり、効率よく低電力で、無線タグとの交信を行うことが可能となる。
【００１６】
上記実施形態では、読取書込装置のアンテナとしてパッチアンテナを用いた場合について述べた。パッチアンテナを用いると指向性の上方と下方の切替が容易である利点がある。しかし、本発明はこの種のアンテナに限られず、その指向性を上下切り替えられるものであればどのようなアンテナであってよい。
【００１７】
上記実施形態では、アンテナが上方の第２の載置台の下面に設けられた場合について述べたが、アンテナは第２の載置台の上面に設けられるようにしてもよい。また物品検知器は圧力により物品を検知するものであっても、光学的に物品を検知するものであってもよい。
【図面の簡単な説明】
【００１８】
【図１】本発明一実施形態の無線タグ物品載置装置の２つの載置台が重ねて置かれた状態を示す図。
【図２】本発明一実施形態の無線タグ物品載置装置の２つの載置台が重ねて置かれた状態を示す図。
【図３】本発明一実施形態の無線タグ物品載置装置の電気回路構成を説明するための図。
【符号の説明】
【００１９】
１０・・・無線タグ物品載置装置、
１１・・・第１の載置台、
１２・・・第２の載置台、
１３・・・第１の物品検知器、
１４・・・第２の物品検知器、
１５ａ，１５ｂ・・・屈曲機構、
１６・・・パッチアンテナ、
１７ａ，１７ｂ，１８ａ，１８ｂ・・・棒状部材、
１９ａ，１９ｂ・・・軸部材、
３１・・・制御部、
３２・・・指向性切替部。
【図１】
2006260037.tif 000003
【図２】
2006260037.tif 000004
【図３】
2006260037.tif 000005